(57)【特許請求の範囲】
【請求項１】
対象物に刺繍を行う刺繍機構と、
該刺繍機構を制御して所定の刺繍を実行させる縫製制御手段と、
該縫製制御手段が該刺繍機構を制御して縫製を実行するための、模様名と該模様名に対応する縫い目データを含む縫製情報を記憶する縫製情報記憶手段と、
ユーザが、前記縫製制御手段に指令を与え、且つ刺繍すべき縫い目データを選択することが可能な、指令手段と、
を備える刺繍装置本体と；
該刺繍装置本体とデータ通信可能に接続可能であり、
前記縫製情報記憶手段に記憶された情報の全部又は一部を取り込んで記憶する入力記憶手段と、
該入力記憶手段に記憶したデータに基づいてデータ処理が可能なデータ処理手段と、を有する、着脱自在の可搬型データ処理装置と；を備え、
前記縫製情報記憶手段が該データ処理手段により処理されたデータを記憶可能であり、
前記縫製制御手段が該データ処理手段により処理されたデータに基づいて刺繍機構を制御可能であり、
前記データ処理手段は、少なくとも文字入力処理と模様選択処理とを実行可能であり、
前記データ処理手段は、前記文字入力処理において、ユーザからの文字入力に対してデータ処理を実行し、データファイルを作成し、前記縫製情報記憶手段に該ファイルを保存し、
前記データ処理手段は、前記模様選択処理において、前記縫製情報記憶手段に記憶された前記模様名を表示し、ユーザが選択した模様名に対応する模様名を刺繍装置に送信する、
ことを特徴とする刺繍装置。
【請求項２】
対象物に刺繍を行う刺繍機構と、
該刺繍機構を制御して所定の刺繍を実行させる縫製制御手段と、
該縫製制御手段が該刺繍機構を制御して縫製を実行するための、模様名と該模様名に対応する縫い目データを含む縫製情報を記憶する縫製情報記憶手段と、
ユーザが、前記縫製制御手段に指令を与え、且つ刺繍すべき縫い目データを選択することが可能な、指令手段と、
を備える複数の刺繍装置本体と；
該複数の刺繍装置本体と夫々データ通信可能に接続可能であり、
前記複数の刺繍装置本体の複数の縫製情報記憶手段に記憶された情報の全部又は一部を取り込んで記憶する、該複数の縫製情報記憶手段にそれぞれ対応する複数の入力記憶手段と、
該入力記憶手段に記憶したデータに基づいてデータ処理が可能なデータ処理手段と、を有する、着脱自在の可搬型データ処理装置と；を備え、
前記縫製情報記憶手段が該データ処理手段により処理されたデータを記憶可能であり、
前記縫製制御手段が該データ処理手段により処理されたデータに基づいて刺繍機構を制御可能であり、
前記データ処理手段は、少なくとも文字入力処理と模様選択処理とを実行可能であり、
前記データ処理手段は、前記文字入力処理において、ユーザからの文字入力に対してデータ処理を実行し、データファイルを作成し、前記縫製情報記憶手段に該ファイルを保存し、
前記データ処理手段は、前記模様選択処理において、前記縫製情報記憶手段に記憶された前記模様名を表示し、ユーザが選択した模様名に対応する模様名を刺繍装置に送信する、
ことを特徴とする刺繍装置。
【発明の詳細な説明】
【０００１】
【発明の属する技術分野】
この発明は、刺繍装置に関する。
【０００２】
【従来の技術】
刺繍装置は、対象物である布などに名前や記号或いは模様などの形状を刺繍するものとして広く普及している。
刺繍装置には通常操作用のキーボード装置やバーコードリーダなどを備えられ、これらにより名前の選択などの種々の操作を行うようになっている。
また近年は刺繍装置にコンピュータを接続して、種々の操作を行うものも提案されている。
【０００３】
【発明が解決しようとする課題】
しかし、従来の刺繍装置の場合、キーボードやコンピュータなどの操作用の装置のために設置スペースが大きくなる問題があった。
また、コンピュータを使用する場合においては、刺繍装置とコンピュータを接続した状態で使用しなければならず、使用効率がよくない問題があった。また、特定の刺繍装置に特定のコンピュータを使用する必要があり、この点においても使用効率が悪い問題があった。
本発明は上記従来技術の問題を解決することを目的とする。
【０００４】
【課題を解決するための手段】
上記目的を達成するために、本発明の刺繍装置は、対象物に刺繍を行う刺繍機構と、該刺繍機構を制御して所定の刺繍を実行させる縫製制御手段と、該縫製制御手段が該刺繍機構を制御して縫製を実行するための、模様名と該模様名に対応する縫い目データを含む縫製情報を記憶する縫製情報記憶手段と、ユーザが、前記縫製制御手段に指令を与え、且つ刺繍すべき縫い目データを選択することが可能な、指令手段と、を備える刺繍装置本体と；該刺繍装置本体とデータ通信可能に接続可能であり、前記縫製情報記憶手段に記憶された情報の全部又は一部を取り込んで記憶する入力記憶手段と、該入力記憶手段に記憶したデータに基づいてデータ処理が可能なデータ処理手段と、を有する、着脱自在の可搬型データ処理装置と；を備え、前記縫製情報記憶手段が該データ処理手段により処理されたデータを記憶可能であり、前記縫製制御手段が該データ処理手段により処理されたデータに基づいて刺繍機構を制御可能であり、前記データ処理手段は、少なくとも文字入力処理と模様選択処理とを実行可能であり、前記データ処理手段は、前記文字入力処理において、ユーザからの文字入力に対してデータ処理を実行し、データファイルを作成し、前記縫製情報記憶手段に該ファイルを保存し、前記データ処理手段は、前記模様選択処理において、前記縫製情報記憶手段に記憶された前記模様名を表示し、ユーザが選択した模様名に対応する模様名を刺繍装置に送信する、ことを特徴とする。
データ処理装置としては通常はコンピュータを用い、好適実施形態ではモバイルコンピュータを用いている。
以上の構成により、刺繍装置本体から一度刺繍装置情報と縫製情報をデータ処理装置に取り込めば、非接続の状態でもデータ処理装置によりデータ処理が可能になり、該処理したデータにより縫製が可能になる。そのため、刺繍装置本体とデータ処理装置を常に接続しておく必要がなく、装置本体から離れた場所でデータ処理の作業が可能である。また複数の使用者が、モバイルコンピュータを持つことで、個々人にカスタマイズされた操作や入力画面を用いることができ、作業効率が向上するなどの効果がある。更に異なる刺繍装置にモバイルコンピュータを接続することにより、即座に該刺繍装置を使用できるなどの効果がある。
前記縫製情報が刺繍形状を指定する情報を含み、前記データ処理手装置が該情報に基づいて刺繍すべき刺繍形状を選択可能とし、前記縫製制御手段はデータ処理装置が選択した刺繍形状に対応する縫製情報に基づいて前記刺繍機構を制御可能であるように構成する。
また、前記データ処理装置が刺繍形状等の縫製情報を生成可能であり、前記縫製制御手段が、該生成された縫製情報に基づいて前記縫製機構を制御可能である。
これらの構成により、刺繍装置本体と離れた場所でも、種々のデータ処理が可能となる。
また、前記データ処理装置が、前記縫製機構の動作状態を表示可能であるように構成し、刺繍装置本体の表示装置として用いることが可能なようにするのが望ましい。
以上のデータ処理装置の機能は、コンピュータ読み取り可能な記録媒体として実現してもよく、該記録媒体は、縫製制御手段により生成される刺繍装置情報と前記縫製情報記憶手段に記憶された情報の全部又は一部の一方又は両方を該コンピュータに取り込んで記憶する入力記憶ステップと、前記縫製情報が刺繍形状を指定する情報を含み、該情報に基づいて刺繍すべき刺繍形状を選択し、該選択した情報を前記刺繍装置本体に送信するステップと、刺繍形状等の縫製情報を生成し、該縫製情報を刺繍装置本体に送信するステップと、前記縫製機構の動作状態を表示するステップと、をコンピュータに実行させるプログラムを記録した記録媒体としても良い。
また、モバイルコンピュータ等のデータ処理装置は刺繍装置本体の上部に載置することがスペース効率の点で望ましく、前記刺繍装置本体の上部に前記データ処理装置を載置する設置板と、前記設置板に載置されたデータ処理装置を避けるように上糸を導く糸ガイドと、を有することが望ましい。この構成により、スペース効率が向上し、しかも上糸とデータ処理装置の競合が生じない効果がある。
【０００５】
【発明の実施の形態】
以下本発明の実施の形態を図面に基づいて説明する。
図１と図２に外観を示す。
刺繍装置Ａの天板部１上に設置板２が設けられ、この設置板２上にモバイルコンピュータＢを載置できるようになっている。設置板２は支柱３により支持され、該支柱３に沿ってケーブル７が設けられ、モバイルコンピュータＢを刺繍装置Ａに接続するようになっている。ケーブル７はモバイルコンピュータＢの電源ケーブルも含んでいる。
設置板２にはクッション材４が設けられており、刺繍装置Ａの作動による振動の影響をモバイルコンピュータＢに与えないように構成されている。
【０００６】
設置板２の脇には糸ガイド６が設けられており、上糸５をモバイルコンピュータＢに当たらないように導くように構成されている。また、はずみ車８を手で回すときにモバイルコンピュータＢに触れないように設置板２の位置を調整してある。支柱３はミシンアーム９にネジ止めされており、前記設置板２を支持するようになっている。
【０００７】
図３に示すように、刺繍装置Ａにはマイクロコンピュータを主体に構成された縫製制御手段１１が設けられており、ここで種々の制御を行うようになっている。
縫製制御手段１１は指令手段１５からのユーザの種々の指令を受けて制御を行うようになっている。
縫製情報メモリ１２には縫製に必要な種々の情報が格納されており、図ではその代表的な情報として模様名と縫い目データを表しており、それぞれ縫い目データ記憶部１３と模様名記憶部１４に格納されている。
縫製制御手段１１は指令手段１５からの指令に応じて、縫い目形成手段１７と刺繍枠移動手段１８を制御して、所定の刺繍縫いを行うように構成されている。
また、表示手段１６に種々の表示を行うようになっている。
ユーザは指令手段１５を操作して、所望の模様或いは模様名を表示手段１６に表示させ、刺繍したい模様を選択できるように構成されている。縫製制御手段１１は該選択された模様の縫い目データを模様名記憶部１４から読み出して、縫い目形成手段１７と刺繍枠移動手段１８により刺繍を行わせるように構成されている。
【０００８】
刺繍装置ＡとモバイルコンピュータＢとはインターフェース１９、インターフェース３０及びケーブル７により接続され、相互に通信を行うことができるようになっている。
モバイルコンピュータＢには、入力手段３１、制御手段３２、表示手段３３に加えて、プログラム記録媒体４０に格納されたプログラムにより構成された刺繍文字アウトラインデータ記憶手段３４と情報共有化手段３５及び通信オンオフ手段３６が備えられている。
通信オンオフ手段３６はモバイルコンピュータＢの電源投入時或いはプログラム起動時又は必要に応じてインターフェース３０を介して刺繍装置Ａの刺繍装置情報及び縫製情報メモリ１２から縫製情報を入力し、情報共有化手段３５に格納するようになっている。刺繍装置Ａから読み込む縫製情報は縫製情報メモリ１２の全てでも良いし、その一部であっても良い。
制御手段３２は情報共有化手段３５に格納された縫製情報に応じて種々のデータ処理を行えるように構成されている。即ち、ユーザは入力手段３１により縫製情報メモリ１２から情報共有化手段３５にコピーされたデータに基づいて、模様や模様名を表示手段３３に表示させることが可能であり、更に刺繍させる模様を選択することも可能になっている。
また、刺繍文字アウトラインデータ記憶手段３４のデータや情報共有化手段３５のデータに基づいて新たな文字や模様等の刺繍データをモバイルコンピュータＢにおいて生成できるようになっている。モバイルコンピュータＢで生成されたデータは情報共有化手段３５に格納され、適宜通信オンオフ手段３６を介して刺繍装置Ａに転送され、縫製情報メモリ１２に蓄積されるように構成されている。なお、縫製情報メモリ１２はメモリカードの形態として、別途一括して多数の模様データを記憶するように構成しても良い。
【０００９】
上記したように通信オンオフ手段３６により必要なときにのみ、モバイルコンピュータＢと刺繍装置Ａとの接続が行われ、その後は情報共有化手段３５において刺繍装置Ａと共有化されたデータに基づいてモバイルコンピュータＢ側のみでデータ処理が可能である。そのため、モバイルコンピュータＢと刺繍装置Ａの接続を切り離して、他の場所でモバイルコンピュータＢの操作が可能である。
また、異なるモバイルコンピュータＢであっても、プログラム記録媒体４０からプログラムを読み込ませてあれば、いずれでも刺繍装置Ａと接続してデータ処理装置として使用が可能である。
【００１０】
なお、モバイルコンピュータＢは刺繍装置Ａと接続されている間は、刺繍装置Ａのモニタとして機能するように構成されており、刺繍装置Ａの動作状態などを表示手段３３に表示するように構成されている。
【００１１】
図４により動作を説明する。
電源投入時或いはプログラム起動時、その他必要な時にモバイルコンピュータＢの通信オンオフ手段３６は刺繍装置Ａとの通信をオンとし、インターフェース３０、ケーブル７及びインターフェース１９を介して通信を確立する（ステップＳ１、２）。そして、縫製情報メモリ１２から縫製情報を取得し（ステップＳ３）、通信をオフとする（ステップＳ４）。
【００１２】
モバイルコンピュータＢにおいて文字入力する場合は（ステップＳ１０）、ユーザの入力手段３１からの文字入力に対してデータ処理を実行し（ステップＳ１１）、模様ファイルを作成し（ステップＳ１２）、他のファイル名と重複しないようにファイル名を付けて格納する（ステップＳ１３、１４）。
該ファイルを保存する場合は（ステップＳ２０）、通信をオンとし（ステップＳ２１）、刺繍装置Ａの縫製情報メモリ１２に該ファイルを保存して（ステップＳ２２）、通信をオフにする（ステップＳ２３）。
モバイルコンピュータＢで模様選択を行う場合には（ステップＳ３０）、情報共有化手段３５からデータを取りだしてファイル名一覧を表示手段３３に表示させ（ステップＳ３１）、ユーザが入力手段３１により模様を選択すると（ステップＳ３２）、通信をオンとし（ステップＳ３３）、刺繍模様名を刺繍装置Ａ側に送信する（ステップＳ３４）。そして通信をオフする（ステップＳ３４）。
モバイルコンピュータＢでモニタする場合には（ステップＳ４０）、通信をオンとし（ステップＳ４１）、現在の刺繍模様名や刺繍時間データを刺繍装置Ａから読み込み、表示する（ステップＳ４２）。そして通信オフする（ステップＳ４３）。
モバイルコンピュータＢ側で他の処理を行う場合には、他の処理を実行する（ステップＳ５０）。
【００１３】
以上説明した構成によれば、刺繍装置Ａから一度縫製情報をモバイルコンピュータＢに取り込めば、非接続の状態でもデータ処理が可能になる。そのため、刺繍装置ＡとモバイルコンピュータＢとを常に接続しておく必要がなく、刺繍装置Ａから離れた場所でモバイルコンピュータＢによりデータ処理の作業が可能である。また複数の使用者が、モバイルコンピュータＢを持つことで、個々人にカスタマイズされた操作や入力画面を用いることができ、作業効率が向上するなどの効果がある。更に異なる刺繍装置ＡにモバイルコンピュータＢを接続することにより、即座に刺繍装置Ａを使用できるなどの効果がある。
更に上記実施形態ではモバイルコンピュータＢを設置板２上に載せているのでスペース的な制約が少なく、スペース効率が向上する。しかも、糸ガイド６により上糸５がモバイルコンピュータＢに接触するなどの危険がない等の利点がある。
なお、インターフェース３０、通信オンオフ手段３６、情報共有化手段３５を複数設けて、一台のモバイルコンピュータＢで複数の刺繍装置Ａを制御することも可能であり、この場合モバイルコンピュータの使用効率が更に向上する。
【００１４】
【発明の効果】
以上説明したように本発明の刺繍装置によれば、汎用型のモバイルコンピュータ等をデータ処理装置や操作装置或いはモニタ装置として使用可能であり、しかも最初に刺繍装置から縫製情報を取り込むようになっているため、その後はモバイルコンピュータを切り離して使用することができ、操作性が格段向上する等の効果がある。
【図面の簡単な説明】
【図１】本発明の一実施形態を示す斜視図。
【図２】本発明の一実施形態を示す側面図。
【図３】本発明の一実施形態の機能ブロック図。
【図４】本発明の一実施形態の動作を示すフローチャート図。
【符号の説明】
１：天板部、２：設置板、３：支柱、４：クッション材、５：上糸、６：糸ガイド、７：ケーブル、８：はずみ車、９：ミシンアーム、１１：縫製制御手段、１２：縫製情報メモリ、１３：縫い目データ記憶部、１４：模様名記憶部、１５：指令手段、１６：表示手段、１７：縫い目形成手段、１８：刺繍枠移動手段、１９：インターフェース、３０：インターフェース、３１：入力手段、３２：制御手段、３３：表示手段、３４：刺繍文字アウトラインデータ記憶手段、３５：情報共有化手段、３６：通信オンオフ手段、４０：プログラム記録媒体。
【図１】
0004719328.tif 000002
【図２】
0004719328.tif 000003
【図３】
0004719328.tif 000004
【図４】
0004719328.tif 000005